(57)【特許請求の範囲】
【請求項１】
遠隔操作される機関銃に取り付けられる装填装置であって、
前記機関銃の槓桿に取り付けられるハンドル部と、
火薬を保持したハンドル部移動機構であって、所定の指示が入力されたときに、前記火薬を爆発させ、それにより生じた燃焼ガスで前記ハンドル部を移動させることにより、前記ハンドル部に取り付けられた前記槓桿を，弾が再装填されるように操作するハンドル部移動機構
とを備えることを特徴とする装填装置。
【請求項２】
前記ハンドル部移動機構が、
空包をセットすることが可能な，セットされている空包内の火薬を爆発させる機構である
ことを特徴とする請求項１記載の装填装置。
【請求項３】
前記ハンドル部移動機構が、
所定の信号が入力されたときに、火薬を爆発させる機構である
ことを特徴とする請求項１又は請求項２に記載の装填装置。
【請求項４】
遠隔操作される機関銃であって、
銃身と、
弾が発射された際に前記銃身内に生ずるガス圧を利用して遊底を後退させるためのガス利用機構と、
火薬を保持したガス発生機構であって、所定の指示が入力されたときに、前記火薬を爆発させ、それにより生じた燃焼ガスを、前記遊底を後退させるためのガスとして前記ガス利用機構に供給するガス発生機構
とを備えることを特徴とする機関銃。
【請求項５】
前記ガス発生機構が、
空包をセットすることが可能な，セットされている空包内の火薬を爆発させる機構である
ことを特徴とする請求項４記載の機関銃。
【請求項６】
前記ガス発生機構が、
所定の信号が入力されたときに、火薬を爆発させる機構である
ことを特徴とする請求項４又は請求項５に記載の機関銃。
【発明の詳細な説明】
【技術分野】
【０００１】
本発明は、遠隔操作される機関銃に取り付けられる装填装置と、遠隔操作される機関銃とに、関する。
【背景技術】
【０００２】
従来，人間が手動で操作していた機関銃が，今日，安全面の配慮から，遠隔操作化される傾向にある。このため、機関銃を遠隔操作するためのさまざまな機構（以下、遠隔操作用機構と表記する）が、開発されている。しかしながら、現存する遠隔操作用機構は、いずれも、弾が不発弾であった場合や機関銃の給弾機構が引っかかった場合には、射手／操作者が、機関銃が設置してある場所まで行き、その槓桿を操作しなければならないものとなっている。
【発明の開示】
【発明が解決しようとする課題】
【０００３】
そこで、本発明の課題は、それを用いることにより、遠隔地に設置されている機関銃の弾の再装填操作を行えることになる装填装置、設置されている場所まで行かなくても弾の再装填操作を行える機関銃を、提供することにある。
【課題を解決するための手段】
【０００４】
上記課題を解決するために、本発明の装填装置は、機関銃の槓桿に取り付けられるハンドル部と、火薬を保持したハンドル部移動機構であって、所定の指示が入力されたときに、前記火薬を爆発させ、それにより生じた燃焼ガスで前記ハンドル部を移動させることにより、前記ハンドル部に取り付けられた前記槓桿を，弾が再装填されるように操作するハンドル部移動機構とを、備える。
【０００５】
すなわち、本発明の装填装置は、弾の再装填操作（不発弾が排出される／弾の引っ掛かりが解消されるようにするために槓桿を動かす操作）を、火薬の爆発力（火薬の爆発により生ずる燃焼ガスの圧力）を利用して行う装置となっている。従って、この装填装置を、遠隔操作する機関銃に取り付けておけば、弾が不発弾であった場合等に、機関銃が設置されている場所まで行かなくても弾の再装填操作を行えることになる。また、本発明の装填装置は、火薬の爆発力を利用する装置であるので、他の構成を採用した装置（油圧やモータで槓桿を移動させる装置）よりも、短時間で再装填操作を行える装置となっていることになる。さらに、他の構成を採用した装置よりも、装置サイズを小さくすることが可能な装置となっていることにもなる。
【０００６】
本発明の装填装置を実現するに際しては、火薬の再セットを容易に行えるようにするために、ハンドル部移動機構を、空包をセットすることが可能な，セットされている空包内の火薬を爆発させる機構としておくことが、望ましい。
【０００７】
また、本発明の機関銃は、銃身と、弾が発射された際に前記銃身内に生ずるガス圧を利用して遊底を後退させるためのガス利用機構と、火薬を保持したガス発生機構であって、所定の指示が入力されたときに、前記火薬を爆発させ、それにより生じた燃焼ガスを、前記遊底を後退させるためのガスとして前記ガス利用機構に供給するガス発生機構とを、備える。
【０００８】
すなわち、本発明の機関銃は、いわゆるガスオペレート方式の機関銃（ガス利用機構を備えた機関銃）に、ガス発生機構を付加したものとなっている。そして、槓桿は、遊底を後退させるために機関銃に設けられているものであるので、本発明の機関銃は、弾が不発弾であった場合等に、機関銃が設置されている場所まで行かなくても弾の再装填操作を行えるものとなっていることになる。また、本発明の機関銃は、他の構成を採用した場合よりも、短時間で再装填操作を行えるもので有ると共に、その全体サイズを小さくすることが可能なものとなっていることになる。
【発明を実施するための最良の形態】
【０００９】
以下、本発明を実施するための最良の形態を、図面を参照して詳細に説明する。
【００１０】
《装填装置》
図１に示してあるように、本発明の一実施形態に係る装填装置１０は、槓桿を備えた機関銃３０に取り付けられ、点火装置２０とケーブルにて接続された状態で使用される装置である。また、装填装置１０は、ハンドル部１２ａを有するピストンアセンブリ１２（図では、ピストンＡｓｓｙ）と，復座バネ１３と，ガス漏口１４が設けられているシリンダ部１１と，閉鎖部材１５と，発火装置１６とから構成された装置となっている。
【００１１】
ハンドル部１２ａは、機関銃３０の槓桿と、自身（ピストンアセンブリ１２）とを結合するための結合機構を有する部材である。このハンドル部１２ａが有する結合機構は、ハンドル部１２ａが図中に点線で示してある位置まで移動したときに、槓桿との結合を解放するものとなっている。
【００１２】
復座バネ１３は，ハンドル部１２ａが図中に点線で示してある位置まで移動したピストンアセンブリ１２を、通常の位置に戻すためのバネである。
【００１３】
シリンダ部１１は、ピストンアセンブリ１２のピストン部分のシリンダとしての機能を有する部材である。このシリンダ部１１は、その一方の端部に、空包をセットするための薬室が設けられている部材であると共に、当該端部を、発火装置１６が固定されている閉鎖部材１１によって閉鎖できる部材となっている。
【００１４】
閉鎖部材１１に固定されている発火装置１５は、点火装置２０から所定の信号が入力されたときに、撃針で空包の雷管部を叩く（空包を発火させる）装置（点火装置２０によって制御されるソレノイドを備えた装置）である。
【００１５】
要するに、この装填装置１０は、点火装置２０を操作すると、シリンダ部１１内にセットされている空包内の火薬が爆発し、その爆発により生じたガスの圧力で、ピストンアセンブリ１２（ハンドル部１２ａ）／槓桿が図における左方向に移動し、その結果として、弾の再装填が行われることになる装置となっている。
【００１６】
従って、この装填装置１０を、遠隔操作する機関銃３０に取り付けておけば、弾が不発弾であった場合等に、機関銃３０が設置されている場所まで行かなくても弾の再装填操作を行えることになる。また、火薬の爆発力を利用する装置であるが故に、装填装置１０を用いれば、他の構成を採用した装置（油圧やモータで槓桿を移動させる装置）を用いた場合よりも、短時間で再装填操作を行えることになる。さらに、装填装置１０と同機能の、油圧やモータで槓桿を移動させる装置は、装填装置１０よりも大きな装置とならざるを得ないため、装填装置１０は、小サイズのものを簡単に製造できるという観点でも、優れた装置となっていることになる。
【００１７】
《機関銃》
図２に示してあるように、本発明の一実施形態に係る機関銃４０は、ガス利用機構を備えた機関銃（ガスオペレート方式の機関銃）に、ガス発生機構５０を付加したものに相当する銃である。なお、ガス利用機構とは、射撃時に発生する燃焼ガス（銃身に設けられているガス漏口から流入されるガス）を利用して遊底（ボルト）を後退させるための機構のことである。
【００１８】
そして、本実施形態に係る機関銃４０が備えるガス発生機構５０は、図３に示してあるように、空包がセット可能な薬室が設けられている部分と、発火装置５２（発火装置１６と同じもの）が取り付けられている閉鎖部材５１と、射撃時に発生する燃焼ガスが薬室側に入り込まないようにするための逆止弁５３とで構成された機構となっている。
【００１９】
従って、この機関銃４０は、弾が不発弾であった場合等に、機関銃４０が設置されている場所まで行かなくても弾の再装填操作を行えるものとなっていることになる。
【００２０】
＜変形形態＞
上記した装填装置１０，機関銃４０は、各種の変形を行うことが出来る。例えば、装填装置１０／機関銃４０を、空包をセットできないもの（火薬をセットしなければならないものや、専用の火薬カートリッジのセットが必要なもの）に変形することが出来る。また、装填装置１０／機関銃４０を、発火装置１６／５２として、ワイヤー等で操作することが可能な装置（例えば、バネで付勢されている状態で，ストッパで止められている撃針を有し、そのストッパをワイヤー操作ではずせる装置）を備えたものに変形することも出来る。
【図面の簡単な説明】
【００２１】
【図１】本発明の一実施形態に係る装填装置の構成図。
【図２】本発明の一実施形態に係る機関銃の構成図。
【図３】実施形態に係る機関銃が備えるガス発生機構の構成図。
【符号の説明】
【００２２】
１０  装填装置
１１  シリンダ部
１２ａ  ハンドル部
１２  ピストンアセンブリ
１３  復座バネ
１４  ガス漏口
１５，５１  閉鎖部材
１６，５２  発火装置
２０  点火装置
３０，４０  機関銃
５０  ガス発生機構
５３  逆止弁
【図１】
0004689494.tif 000002
【図２】
0004689494.tif 000003
【図３】
0004689494.tif 000004